(57)【特許請求の範囲】
【請求項１】
トッププレートの下に複数の加熱コイルが配設された装置本体と、
前記装置本体のトッププレート前方の上部に配置された第１の操作部と、
前記装置本体に有線あるいは無線を介して接続された第２の操作部とを備え、
前記第１の操作部には、トッププレート上の調理容器を誘導加熱する加熱コイルを選択する電源スイッチと、選択された加熱コイルの火力を設定する火力調節スイッチと、火力調節スイッチにより設定された火力を表示する火力表示部とが設けられ、
前記第２の操作部には、画面上にタッチパネルを有する表示部と、少なくとも前記電源スイッチ及び前記火力表示部、前記装置本体に設定された各種の調理機能を選択して実行させるための機能スイッチを表示情報として前記表示部に選択可能に表示する制御部とが設けられ、
前記電源スイッチは、前記加熱コイルの選択と火力の設定を兼ねていることを特徴とする誘導加熱装置。
【請求項２】
前記制御部は、前記表示情報に基づく複数のレイアウトを有し、前記タッチパネルの操作に基づいて前記レイアウトを前記表示部の画面に表示することを特徴とする請求項１記載の誘導加熱装置。
【請求項３】
少なくとも前記表示情報が格納された記録媒体を備え、
前記制御部は、前記第２の操作部に前記記録媒体が装着されると、前記記録媒体に格納された表示情報を前記表示部に表示することを特徴とする請求項１又は２記載の誘導加熱装置。
【請求項４】
前記第２の操作部は、複数の装置本体と接続可能なインターフェースを備えていることを特徴とする請求項１乃至３の何れかに記載の誘導加熱装置。
【請求項５】
前記第２の操作部は、前記装置本体を制御する上位装置と接続可能なインターフェースを備えていることを特徴とする請求項１乃至４の何れかに記載の誘導加熱装置。
【発明の詳細な説明】
【技術分野】
【０００１】
本発明は、調理容器を電磁誘導により加熱する誘導加熱装置に関するものである。
【背景技術】
【０００２】
従来の誘導加熱装置は、装置本体のトッププレートを除く前部上面と装置本体の前面とに操作部が設けられているものがある。上面に設けられた操作部には、多数のスイッチ類や装置の状態を表示する表示部が配列されている（例えば、非特許文献１参照）。
また、操作部が装置本体と分離可能な電磁調理器がある。（例えば、特許文献１参照）。
【０００３】
【非特許文献１】三菱電機株式会社、ＩＨクッキングヒータカタログ、２００３年１月１日、ｐ.３−４、６
【特許文献１】特開２０００−３２３２７０（第２頁、図１）
【発明の開示】
【発明が解決しようとする課題】
【０００４】
操作部や装置の設定状態などを表示する表示部が装置本体の上部に配置されている誘導加熱装置においては、調理容器をトッププレートに載せた場合に、調理容器により表示部分が隠れたり、調理容器が障害になって操作がしづらく不自由であった。また、操作部や表示部にスペースをとられ、トッププレート上での調理スペースを十分に活用できず、装置全体の小型化が困難などの不都合があった。
【０００５】
本発明は、前記のような課題を解決するためになされたもので、第１の目的は、装置本体での操作を簡素化し装置本体に設けられた操作部分をコンパクトにすることでトッププレート上での調理スペースを確保し、装置の機能を損なうことなく装置本体全体を小型化することができる誘導加熱装置を得るものである。
また、第２の目的は、装置本体を大型化することなくさらに高機能化・多機能化を実現することができる誘導加熱装置を得るものである。
【課題を解決するための手段】
【０００６】
本発明に係る誘導加熱装置は、トッププレートの下に複数の加熱コイルが配設された装置本体と、装置本体のトッププレート前方の上部に配置された第１の操作部と、装置本体に有線あるいは無線を介して接続された第２の操作部とを備え、第１の操作部には、トッププレート上の調理容器を誘導加熱する加熱コイルを選択する電源スイッチと、選択された加熱コイルの火力を設定する火力調節スイッチと、火力調節スイッチにより設定された火力を表示する火力表示部とが設けられ、第２の操作部には、画面上にタッチパネルを有する表示部と、少なくとも電源スイッチ及び火力表示部、装置本体に設定された各種の調理機能を選択して実行させるための機能スイッチを表示情報として表示部に選択可能に表示する制御部とが設けられ、電源スイッチは、加熱コイルの選択と火力の設定を兼ねている。
【０００７】
また、制御部は、前記表示情報に基づく複数のレイアウトを有し、タッチパネルの操作に基づいて前記レイアウトを表示部の画面に表示する。
【発明の効果】
【０００８】
本発明においては、第２の操作部に、画面上にタッチパネルを有する表示部と、少なくとも電源スイッチ及び火力表示部、装置本体に設定された各種の調理機能を選択して実行させるための機能スイッチを表示情報として表示部に選択可能に表示する制御部とを設けたので、第１の操作部を簡素化でき、このため、装置本体上での調理スペースを十分に確保でき、装置本体全体を小型化できる。
【０００９】
また、本発明においては、表示情報に基づく複数のレイアウトを有し、タッチパネルの操作に基づいてレイアウトを表示部の画面に表示するようにしたので、装置本体の小型化を実現しながら多機能化できる。
【発明を実施するための最良の形態】
【００１０】
実施の形態１．
図１は本発明の実施の形態１に係る誘導加熱装置の全体を示す外観斜視図、図２は実施の形態１に係る誘導加熱装置の内部構成を示すブロック図である。
実施の形態１の誘導加熱装置は、装置本体１と、装置本体１の上部に調理容器を載置するためのトッププレート２と、装置本体１のトッププレート２前方の上部に設けられた第１の操作部３と、装置本体１に着脱可能に接続線７を介して接続され、遠隔操作用の第２の操作部４とで構成されている。
【００１１】
装置本体１は、図２に示すように、装置本体１の各部に電源を供給する電源部１１と、装置全体を制御する制御部１２と、制御部１２の制御に応じて高周波電流を発生する高周波電源発生部１３ａ〜１３ｃと、高周波電源発生部１３ａ〜１３ｃからの高周波電流に基づいてトッププレート２上の調理容器を誘導加熱する加熱コイル１４ａ〜１４ｃと、第１の操作部３のスイッチ操作に基づいて信号を生成して制御部１２に出力し、制御部１２からの信号に応じて第１の操作部３の火力表示部に火力のレベルを表示する入出力部１５と、第２の操作部４との信号の送受信を行うインターフェースの送受信部１６とを備えている。
【００１２】
第１の操作部３は、前述した入出力部１５を備え、図１に詳細に示していないが、例えば、加熱コイル１４ａ〜１４ｃ毎に設けられた電源スイッチ、火力調節スイッチ及び火力表示部が配設されている。各電源スイッチは、それぞれの加熱コイル１４ａ〜１４ｃに高周波電流を供給させるためのスイッチであり、各火力調節スイッチは、加熱コイル１４ａ〜１４ｃの火力を設定するためのスイッチであり、各火力表示部は、それぞれの火力調節スイッチにより設定された火力に応じたレベルを表示するためのもので、例えば、複数のＬＥＤからなっている。
【００１３】
第２の操作部４は、例えば、画面上にタッチパネルを有し、表示出力部４４及び入力部４５（図２参照）を備えた表示部５と、入出力部４３を備えた操作部６と、例えば送受信部４２（インターフェース）を有する制御部４１とが設けられている。操作部６は、図１に詳細に示していないが、例えば、３台の加熱コイル１４ａ〜１４ｃのうち１台の加熱コイルに設けられた電源スイッチ、火力調節スイッチ及び火力表示部と同じものが配設されている。操作部６の電源スイッチは、加熱コイル１４ａ〜１４ｃをそれぞれ選択するためのスイッチである。
【００１４】
前記の制御部４１は、操作部６の電源スイッチにより選択された加熱コイルの情報、火力調節スイッチにより設定された火力が入出力部４３を介して入力されると、設定火力から火力値を判別して加熱コイルの情報と共に装置本体１に送信し、その制御部１２により制御させる。また逆に、装置本体１から加熱コイルの情報と火力値のデータが送られてきたときは、例えば加熱コイルの情報を表示出力部４４に出力して表示部５の画面上に表示させると共に、火力値に基づいて点灯するＬＥＤの個数を判別してその情報を入出力部４３に出力し、火力表示部に表示させる。
【００１５】
また、制御部４１は、予め設定された調理に必要な各種機能（調理時間を設定するためのタイマ機能、湯沸かし機能、揚げ物機能、炊飯機能など）を有し、その各種機能を表示情報として選択可能に表示出力部４４を通じて表示部５の画面に表示し、何れか一つの機能がタッチパネルを介して選択されたときは、入力部４５を通じて入力される信号から選択機能を判別し、かつ、その機能に基づく制御を装置本体１の制御部１２経由で行う。
【００１６】
以上のように実施の形態１によれば、装置本体１との接続が着脱可能な第２の操作部４に本装置の各種機能を持たせたので、装置本体１の第１の操作部３には調理に最低限必要な電源スイッチ、火力調節スイッチ及び火力表示部を配置するだけでよく、これによって第１の操作部３の操作が簡素化されるため、使用者の経験によらず、感覚的な操作ができるという効果がある。また、第１の操作部３には、前述の如く必要最低限の構成要素のみが配置されているため、調理容器を載置するトッププレート２、いわゆる調理のためのスペースが十分に確保でき、装置本体１全体を小型化できる。
【００１７】
また、第２の操作部４を装置本体１に接続線７を介して着脱可能に接続されているので、装置本体１から離れた場所であっても操作することができ、調理の障害にならないように壁などに取り付けることが可能になり、使用者の都合に合わせて自由に配置することができる。
【００１８】
実施の形態２．
実施の形態１では、第２の操作部４が装置本体１に接続線７を介して着脱可能に接続されていることを述べたが、実施の形態２は、図３に示すように、装置本体１と第２の操作部４との間の信号の送受信を無線で行うようにしたものである。装置本体１には、図４に示すように、制御部１２と接続された無線用の送受信部１６ａが設けられ、第２の操作部４には、制御部４１に無線用の送受信部４２ａが内蔵されている。
【００１９】
第１の操作部３は、前述した実施の形態１と同様に、調理に最低限必要な電源スイッチ、火力調節スイッチ及び火力表示部が加熱コイル１４ａ〜１４ｃ毎に設けられており、第２の操作部４の制御部４１は、実施の形態１と同様に、装置本体１の加熱コイル１４ａ〜１４ｃを制御する機能の他に、調理に必要なタイマ機能、湯沸かし機能、揚げ物機能、炊飯機能などの各種の調理機能を有している。
【００２０】
以上のように実施の形態２によれば、第２の操作部４からの各種設定を無線で装置本体１に通知できるので、第２の操作部４の設置場所の自由度が増し、また、使用者側の操作体勢の自由度も増すという効果がある。
【００２１】
実施の形態３．
図５は実施の形態３に係る誘導加熱装置の第１の操作部の配置例を示す平面図、図６は実施の形態３に係る誘導加熱装置の第２の操作部の配置例を示す平面図である。
装置本体１に設けられた第１の操作部３は、加熱コイル１４ａに対応して設けられた電源スイッチ３１ａ、火力調節スイッチ３２ａ，３２ｂ及び火力調節スイッチ３２ａ，３２ｂの間に配置された火力表示部３３ａと、加熱コイル１４ｂに対応して設けられた電源スイッチ３１ｂ、火力調節スイッチ３２ｃ，３２ｄ及び火力調節スイッチ３２ｃ，３２ｄの間に配置された火力表示部３３ｂと、加熱コイル１４ｃに対応して設けられた電源スイッチ３１ｃ、火力調節スイッチ３２ｅ，３２ｆ及び火力調節スイッチ３２ｅ，３２ｆの間に配置された火力表示部３３ｃとを備えている。火力表示部３３ａ〜３３ｃは、実施の形態１、２と同様にそれぞれ複数のＬＥＤからなっている。
【００２２】
装置本体１に接続線７を介して接続された第２の操作部４は、液晶表示器或いはＬＥＤ表示器からなる表示部５と、前述した第１の操作部３と同様に、電源スイッチ３１ａ〜３１ｃ、火力調節スイッチ３２ａ〜３２ｆ及び火力表示部３３ａ〜３３ｃとが設けられている。また、第２の操作部４には、湯沸かし、揚げ物、炊飯及び調理時間を設定するタイマなどの各種調理機能を設定するためのスイッチ３５がそれぞれ設けられている。前記の表示部５は、例えば、揚げ物スイッチが選択されたときその旨を表示し、また、タイマスイッチにより調理時間が設定されたときは調理時間の経過を表示する。これは、制御部４１によって行われている。
【００２３】
装置本体１と第２の操作部４の内部構成は、表示部５を除いて、図２で説明した実施の形態１と同じである。表示部５は、タッチパネルが用いられていないので、その入力部４５のない構成となっている。なお、装置本体１と第２の操作部４との間の信号の送受信を無線で行うようにした場合、その内部構成は、前記と同様に表示部５を除いて、図４で説明した実施の形態２と同じになる。
【００２４】
以上のように実施の形態３によれば、装置本体１との接続が着脱可能な第２の操作部４に装置本体１が備えている各種機能を持たせたので、装置本体１の第１の操作部３には調理に最低限必要な電源スイッチ、火力調節スイッチ及び火力表示部を配置するだけでよく、これによって操作が簡素化されるため、使用者の経験によらず、感覚的な操作ができ、また、第１の操作部３には、前述の如く必要最低限の構成要素のみが配置されているため、調理容器を載置するトッププレート２上での調理スペースが十分に確保でき、また、装置本体１全体を小型化できる。
【００２５】
また、第２の操作部４を装置本体１に接続線７を介して着脱可能に接続されているので、装置本体１から離れた場所であっても本装置を操作することができ、調理の障害にならないように壁などに取り付けることが可能になり、使用者の都合に合わせて自由に配置することができる。
【００２６】
実施の形態４．
図７は実施の形態４に係る誘導加熱装置の第１の操作部を示す平面図、図８は実施の形態４に係る誘導加熱装置の第２の操作部を示す平面図である。
実施の形態４における第１の操作部３は、実施の形態３（図５参照）で説明した火力表示部３３ａ〜３３ｃに代えて、例えば図７に示すように液晶表示器３４ａ〜３４ｃを備えたものである。加熱コイル１４ａ用として設けられた火力調節スイッチ３２ａ，３２ｂの間に液晶表示器３４ａが配置され、加熱コイル１４ｂ用の火力調節スイッチ３２ｃ，３２ｄの間に液晶表示器３４ｂが配置され、また、加熱コイル１４ｃ用として設けられた火力調節スイッチ３２ｅ，３２ｆの間に液晶表示器３４ｃが配置されている。
【００２７】
第２の操作部４は、実施の形態３（図６参照）で説明した火力表示部３３ａ〜３３ｃに代えて、例えば図８に示すように、液晶表示器３４ａ〜３４ｃを備えたものである。前述した第１の操作部３と同様に、火力調節スイッチ３２ａ，３２ｂの間に加熱コイル１４ａ用の液晶表示器３４ａが配置され、火力調節スイッチ３２ｃ，３２ｄの間に加熱コイル１４ｂ用の液晶表示器３４ｂが配置され、また、火力調節スイッチ３２ｅ，３２ｆの間に加熱コイル１４ｃ用の液晶表示器３４ｃが配置されている。また、実施の形態３と同様に湯沸かし、揚げ物、炊飯、調理時間を設定するタイマなどの各機能を設定するためのスイッチ３５がそれぞれ設けられている。
【００２８】
装置本体１と第２の操作部４の内部構成は、表示部５を除いて、図２で説明した実施の形態１と同じである。表示部５は、タッチパネルが用いられていないので、その入力部４５のない構成となっている。なお、装置本体１と第２の操作部４との間の信号の送受信を無線で行うようにした場合、その内部構成は、前記と同様に表示部５を除いて、図４で説明した実施の形態２と同じになる。
【００２９】
以上のように実施の形態４によれば、第１及び第２の操作部３，４に液晶表示器を設けて火力のレベルを表示するようにしたので、使用者にとって火力の設定レベルを容易に認識することができ、第１の操作部３に配置される構成部品を少なくでき、トッププレート２上での調理スペースをより広く確保でき、また、装置本体１全体を小型化できる。
【００３０】
実施の形態５．
図９は実施の形態５に係る誘導加熱装置の第１の操作部を示す平面図、図１０は実施の形態５に係る誘導加熱装置の第２の操作部を示す平面図である。
実施の形態５における第１の操作部３は、加熱コイル１４ａ〜１４ｃ毎に設けられた電源スイッチ３１ａ〜３１ｃと、火力調節スイッチ３２ａ，３２ｂと、この火力調節スイッチ３２ａ，３２ｂの間に配置された複数のＬＥＤからなる火力表示部３３とが設けられている。火力調節スイッチ３２ａ，３２ｂと火力表示部３３は、共有化されており、例えば、電源スイッチ３１ａにより加熱コイル１４ａを選択した後に、火力調節スイッチ３２ａ，３２ｂで火力を設定すると、その設定火力に応じて火力表示部３３のＬＥＤが点灯し、また、電源スイッチ３１ｂにより加熱コイル１４ｂを選択した後に、火力調節スイッチ３２ａ，３２ｂで火力を設定すると、その設定火力に応じて火力表示部３３のＬＥＤが点灯する。
【００３１】
第２の操作部４は、例えば図１０に示すように、画面上にタッチパネルを有する表示部５と、一つの電源スイッチ３１と、火力調節スイッチ３２ａ，３２ｂと、この火力調節スイッチ３２ａ，３２ｂの間に配置された複数のＬＥＤからなる火力表示部３３とを備えている。表示部５は、前述したタイマ、湯沸かし、揚げ物、炊飯などの各種機能を選択可能に表示し、何れか一つの機能がタッチパネル上で選択されたときは、その旨を制御部４１に通知する。選択された機能の実行は、その制御部４１により装置本体１の制御部１２を経由して行われる。
【００３２】
装置本体１と第２の操作部４の内部構成は、図２で説明した実施の形態１と同じである。なお、装置本体１と第２の操作部４との間の信号の送受信を無線で行うようにした場合、その内部構成は、図４で説明した実施の形態２と同じになる。
【００３３】
以上のように実施の形態５によれば、第１の操作部３に火力調節スイッチ３２ａ，３２ｂと火力表示部３３とを共有化し、電源スイッチ３１ａ〜３１ｃのみを加熱コイル１４ａ〜１４ｃに対応して設けたので、第１の操作部３がさらに簡素化され、使用者の操作性の簡略化、並びにトッププレート２上での調理スペースがさらに広く取れて有効に活用でき、また、装置本体１全体を小型化できる。
【００３４】
実施の形態６．
図１１は実施の形態６に係る誘導加熱装置の第１の操作部を示す平面図、図１２は実施の形態６に係る誘導加熱装置の第２の操作部を示す平面図である。
実施の形態６における第１の操作部３は、実施の形態５（図９参照）で説明した火力表示部３３に代えて、例えば図１１に示すように液晶表示器３４を備えたものである。この液晶表示器３４は、火力調節スイッチ３２ａ，３２ｂと共に共有化されている。例えば、電源スイッチ３１ａにより加熱コイル１４ａを選択した後に、火力調節スイッチ３２ａ，３２ｂで火力を設定すると、その設定に基づく火力レベル値が液晶表示器３４に表示され、また、電源スイッチ３１ｂにより加熱コイル１４ｂを選択した後に、火力調節スイッチ３２ａ，３２ｂで火力を設定すると、その設定に基づく火力レベル値が液晶表示器３４に表示される。
【００３５】
第２の操作部４は、実施の形態５（図１０参照）で説明した火力表示部３３に代えて、例えば図１２に示すように、火力調節スイッチ３２ａ，３２ｂの間に液晶表示器３４を備えたものである。この液晶表示器３４は、前述した第１の操作部３の液晶表示器３４と同様に火力調節スイッチ３２ａ，３２ｂと共に共有化されている。
【００３６】
装置本体１と第２の操作部４の内部構成は、前記と同様に図２で説明した実施の形態１と同じである。なお、装置本体１と第２の操作部４との間の信号の送受信を無線で行うようにした場合、その内部構成は、図４で説明した実施の形態２と同じになる。
【００３７】
以上のように実施の形態６によれば、第１の操作部３に火力調節スイッチ３２ａ，３２ｂと液晶表示器３４とを共有化し、電源スイッチ３１ａ〜３１ｃのみを加熱コイル１４ａ〜１４ｃに対応して設けたので、第１の操作部３の簡素化、使用者の操作性の簡略化、並びにトッププレート２上での調理スペースがさらに広く取れるという効果に加え、火力レベル値を容易に確認することができ、装置本体１全体を小型化できる。
【００３８】
なお、実施の形態５、６（図１０、図１２参照）では、第２の操作部４に一つの電源スイッチ３１を設けて、加熱コイル１４ａ〜１４ｃを選択できるようにしたが、加熱コイル１４ａ〜１４ｃ毎に電源スイッチを設けても良い。また、表示部５に加熱コイル１４ａ〜１４ｃ毎の電源スイッチ（タッチ式スイッチ）を表示して選択できるようにしても良い。
【００３９】
実施の形態７．
実施の形態７は、第２の操作部４に設けられた表示部５から装置本体１を操作できるようにしたものであり、以下、図１３を用いて説明する。図１３は実施の形態７に係る誘導加熱装置の第２の操作部を示す平面図である。
【００４０】
実施の形態７における第２の操作部４は、画面上にタッチパネルを有する表示部５と、接続線７が接続された送受信部４２を有する制御部４１と、表示部５に備えられた表示出力部４４及び入力部４５とが設けられている。制御部４１は、装置本体１の機能に応じて予め設定された複数の表示情報のレイアウトをデータとして有している（図１３（ａ）（ｂ）参照）。表示情報は、使用者の必要に応じて、また、調理に必要な機能に応じて用意されており、使用者の任意により所望の画像を読み出せるようになっている。
【００４１】
例えば、本操作部４に電源が入ると、制御部４１は、表示出力部４４を通じて機能スイッチなどの表示情報を選択可能に画面上に表示し、タッチパネルを通じて所望の表示情報が選択されたときは、入力部４５を通じてその表示情報を判別し、かつ、そのデータを読み出して画面上に表示出力部４４を介して表示する。
【００４２】
（ａ）に示す表示情報の画像は、調理メニューの内容を読み出すための複数のメニュースイッチの画像５１ａ、加熱コイル１４ａ〜１４ｃ毎に火力を表示する火力表示の画像５１ｂ、加熱コイル１４ａ〜１４ｃ毎に配列された電源スイッチの画像５１ｃ、揚げ物、湯沸かしなど各種機能に応じて配列された機能スイッチの画像５１ｄなどからなっている。電源スイッチの画像５１ｃは、個々の加熱コイル１４ａ〜１４ｃの選択と火力の設定を行うためのスイッチである。
【００４３】
（ｂ）に示す表示情報の画像は、前述した表示情報（ａ）のうち火力表示の画像５１ｂ及び電源スイッチの画像５１ｃに代えて、装置本体１と同じ平面画像５１ｅとなっている。この平面画像５１ｅの円形は、加熱コイル１４ａ〜１４ｃに相当し、そのうち、「火力１」が印字された円形部分をタッチしたときは、加熱コイル１４ａが選択されて、火力設定が可能になる。
【００４４】
以上のように実施の形態７によれば、第２の操作部４の表示部５に所望の表示画像を表示して、加熱コイル１４ａ〜１４ｃの操作や、各種の機能及び調理メニューを表示部５の画面から選択できるようにしたので、第１の操作部３を簡素化でき、このため、装置本体１を大型化することなく多機能化を実現できるという効果がある。
【００４５】
なお、実施の形態７では、接続線７が接続された第２の操作部４に適用したことを述べたが、装置本体１と無線で送受信する第２の操作部４に適用しても良い。
【００４６】
実施の形態８．
実施の形態７では、複数の表示情報のデータを制御部４１に持たせるようにしたが、実施の形態８は、そのデータが格納された記録媒体を用意し、調理時に記録媒体を第２の操作部４に装着して所望の表示情報を読み出せるようにしたものであり、以下、図１４〜図１６を用いて説明する。図１４は本発明の実施の形態８に係る誘導加熱装置の全体を示す外観斜視図、図１５は実施の形態８に係る誘導加熱装置の第２の操作部４の内部構成を示すブロック図、図１６は第２の操作部４の表示部５に表示された調理メニューの一例を示す画像図である。
【００４７】
実施の形態８における第２の操作部４は、図１４及び図１５に示すように、記録媒体の例えばメモリカード１００を挿入させる挿入口４６と、メモリカード１００が着脱自在に接続されるデータ入力Ｉ／Ｆ部４７とを備えている。この第２の操作部４の制御部４１は、メモリカード１００がデータ入力Ｉ／Ｆ部４７に接続されると、メモリカード１００から複数のスイッチ画像を読み出して、表示出力部４４を通じて画面上に表示し、タッチパネルを通じて所望の表示情報が選択されたときは、入力部４５を通じてその表示情報を判別し、かつ、その表示情報をメモリカード１００から読み出して、表示出力部４４を介して画面上に表示する。
【００４８】
例えば、表示部５の画面に表示された表示情報選択ための複数のスイッチの中から一つの調理のメニュースイッチが選択された場合、そのスイッチに対応して設定された例えば「きのこたっぷりカレー５１ｆ」の表示情報をメモリカード１００から読み出して、表示出力部４４を介して画面上に表示する（図１６参照）。
【００４９】
以上のように実施の形態８によれば、第２の操作部４の表示部５に所望の表示情報をメモリカード１００から読み出して表示し、加熱コイル１４ａ〜１４ｃの操作や、各種の機能及び調理メニューを表示部５の画面から選択できるようにしたので、第１の操作部３を簡素化でき、このため、装置本体１を大型化することなく多機能化を実現できるという効果がある。
【００５０】
なお、実施の形態７、８では、接続線７が接続された第２の操作部４に適用したことを述べたが、装置本体１と無線で送受信する第２の操作部４に適用しても良い。
【００５１】
実施の形態９．
実施の形態９は、第２の操作部から複数の装置本体を選択して制御できるようにしたものであり、以下、図１７を用いて説明する。図１７は実施の形態９に係る誘導加熱装置を示す概略構成図である。
実施の形態９における誘導加熱装置は、複数の装置本体１ａ〜１ｃと、複数の装置本体１ａ〜１ｃに着脱可能に接続線７を介して接続された第２の操作部４とから構成されている。複数の装置本体１ａ〜１ｃには、実施の形態１〜６で説明した第１の操作部３の何れかが設けられている。
【００５２】
第２の操作部４は、複数の装置本体１ａ〜１ｃに対応して設けられたインターフェースの送受信部４８と、制御部４１と、画面上にタッチパネルを有し、表示出力部４４及び入力部４５を備えた表示部５とが設けられている。制御部４１は、複数の装置本体１ａ〜１ｃを選択可能な画像（スイッチ）を表示部５の画面に表示し、何れかの装置本体が選択されたときは、加熱コイル１４ａ〜１４ｃの選択及び火力調節が可能な画像を表示部５の画面に表示すると共に、各種の機能及び調理メニューを選択可能な画像を表示する。
【００５３】
このように、第２の操作部４に加熱コイル１４ａ〜１４ｃの制御機能及びその他の機能を持たせ、これを複数の装置本体１ａ〜１ｃに対して設定できるようにしたので、装置本体１ａ〜１ｃを大型化することなく多機能化を実現できるという効果がある。
【００５４】
なお、実施の形態９では、複数の装置本体１ａ〜１ｃと第２の操作部４とが接続線７で接続されていることを述べたが、実施の形態２で説明したように無線で信号の送受信を行うようにしても良い。
【００５５】
実施の形態１０．
実施の形態１０は、第２の操作部に上位装置を接続し、上位装置から装置本体を制御できるようにしたものであり、以下、図１８を用いて説明する。図１８は実施の形態１０に係る誘導加熱装置を示す概略構成図である。
実施の形態１０における誘導加熱装置は、装置本体１と、通信インターフェース４９を備え、装置本体１に着脱可能に接続線７を介して接続された第２の操作部４と、表示装置１１１を有し、第２の操作部４の通信インターフェース４９に着脱可能に例えばＲＳ−２３２Ｃ（又はＲＳ−４２２）のような通信手段を介して接続された上位装置の例えばパーソナルコンピュータ１１０とから構成されている。なお、第２の操作部４とパーソナルコンピュータ１１０（以下、単に「パソコン１１０」いう）とを屋内に敷設されたＬＡＮで接続しても良い。
【００５６】
第２の操作部４は、パソコン１１０からのコマンドに応じて各種の処理を実行する制御部４１を備えている。例えば、装置本体１を制御するためのコマンドや、表示画像の画像データを含むプログラムをパソコン１１０に搭載しておき、表示画像を表示装置１１１に表示させ、第２の操作部４は、パソコン１１０からの表示画像の操作に基づく例えば加熱コイル１４ａの電源入りのコマンドを受けたときは、その加熱コイル１４ａに電源を投入し、その火力の設定コマンドを受けたときは設定火力になるように制御し、加熱コイル１４ａの電源切りのコマンドを受けたときは、加熱コイル１４ａによる誘導加熱を停止させる。また、パソコン１１０によってダウンロードされたインターネット経由の調理プログラムに基づくコマンド、例えば、調理時間や火力設定のコマンドを受けたときは、そのコマンドに基づいて装置本体１を制御する。なお、パソコン１１０で第２の操作部４の表示画像を表示装置１１１に表示することができるので、パソコン１１０によって表示画像のレイアウトを変更することができる。
【００５７】
以上のように実施の形態１０によれば、第２の操作部４に設定された表示画像に基づく装置本体１の各種制御をパソコン１１０からも行えるようにし、また、パソコン１１０によってダウンロードされたインターネット経由の調理プログラムに基づく装置本体１の制御を第２の操作部４を通じて行えるようにしたので、装置本体１を大型化することなく多機能化を実現できるという効果に加え、機能をより向上させることができる。
【００５８】
実施の形態１１．
実施の形態１０では、１台の装置本体１に第２の操作部４を介してパソコン１１０を接続したことについて述べたが、実施の形態１１は、図１９に示すように、１台のパソコン１０から複数の装置本体１を制御できるようにしたものである。
図中に示すように、各装置本体１にそれぞれ接続線７を介して接続された複数の第２の操作部４と、複数の第２の操作部４に例えばＲＳ−２３２Ｃ（又はＲＳ−４２２）のような通信手段を介して接続されたパソコン１１０とからなっている。
【００５９】
実施の形態１０においては、複数の第２の操作部４に設定された各表示画像をパソコン１１０の表示装置１１１に表示させることにより、それぞれの装置本体１をパソコン１１０によって集中制御が可能になる。また、各装置本体１の稼動状況の確認、使用電力の監視、各装置本体１による故障診断などを表示装置１１１を通して実現することができる。
【００６０】
実施の形態１２．
実施の形態１１では、複数の装置本体１にそれぞれ対応して第２の操作部４を設けたことについて述べたが、実施の形態１２は、図２０に示すように、複数の装置本体１にそれぞれ接続線を介して１台の第２の操作部４を接続し、この第２の操作部４の上位装置としてパソコン１１０を設けたものである。第２の操作部４に設定された表示画像をパソコン１１０の表示装置１１１に表示し、装置本体１選択後に表示画像に基づいて装置本体１を制御する。
【００６１】
このように、１台のパソコン１１０と１台の第２の操作部４で、実施の形態１１と同様に、複数の装置本体１を集中管理できるので、より機能の向上を図れるという効果がある。
【００６２】
なお、実施の形態１０〜１２では、装置本体１と第２の操作部４とが接続線７で接続されていることを述べたが、実施の形態２で説明したように無線で信号の送受信を行うようにしても良いし、また、パソコン１１０と第２の操作部４との間を無線を通じて信号の送受信を行うようにしても良い。さらに、パソコン１１０から第２の操作部４を通じて装置本体１を制御できるようにしたが、第２の操作部４から直接に装置本体１を制御できるのはいうまでもない。
【産業上の利用可能性】
【００６３】
本発明の活用例として、ＩＨクッキングヒータや電磁調理器などがある。
【図面の簡単な説明】
【００６４】
【図１】本発明の実施の形態１に係る誘導加熱装置の全体を示す外観斜視図である。
【図２】実施の形態１に係る誘導加熱装置の内部構成を示すブロック図である。
【図３】実施の形態２に係る誘導加熱装置の全体を示す外観斜視図である。
【図４】実施の形態２に係る誘導加熱装置の内部構成を示すブロック図である。
【図５】実施の形態３に係る誘導加熱装置の第１の操作部を示す平面図である。
【図６】実施の形態３に係る誘導加熱装置の第２の操作部を示す平面図である。
【図７】実施の形態４に係る誘導加熱装置の第１の操作部を示す平面図である。
【図８】実施の形態４に係る誘導加熱装置の第２の操作部を示す平面図である。
【図９】実施の形態５に係る誘導加熱装置の第１の操作部を示す平面図である。
【図１０】実施の形態５に係る誘導加熱装置の第２の操作部を示す平面図である。
【図１１】実施の形態６に係る誘導加熱装置の第１の操作部を示す平面図である。
【図１２】実施の形態６に係る誘導加熱装置の第２の操作部を示す平面図である。
【図１３】実施の形態７に係る誘導加熱装置の第２の操作部を示す平面図である。
【図１４】本発明の実施の形態８に係る誘導加熱装置の全体を示す外観斜視図である。
【図１５】実施の形態８に係る誘導加熱装置の第２の操作部の内部構成を示すブロック図である。
【図１６】第２の操作部の表示部に表示された調理メニューの一例を示す画像図である。
【図１７】実施の形態９に係る誘導加熱装置を示す概略構成図である。
【図１８】実施の形態１０に係る誘導加熱装置を示す概略構成図である。
【図１９】実施の形態１１に係る誘導加熱装置を示す概略構成図である。
【図２０】実施の形態１２に係る誘導加熱装置を示す概略構成図である。
【符号の説明】
【００６５】
１  装置本体、２  トッププレート、３  第１の操作部、４  第２の操作部、５  表示部、６  操作部、７  接続線、１１  電源部、１２  制御部、１３ａ〜１３ｃ  高周波電源発生部、１４ａ〜１４ｃ  加熱コイル、１５  入出力部、１６  送受信部、１６ａ  無線用の送受信部、４１  制御部、４２  送受信部、４２ａ  無線用の送受信部、４３  入出力部、４４  表示出力部、４５  入力部、４６  メモリカードの挿入口、４７  データ入力Ｉ／Ｆ部、４８  送受信部、４９  通信インターフェース。
【図１】
0004553828.tif 000002
【図２】
0004553828.tif 000003
【図３】
0004553828.tif 000004
【図４】
0004553828.tif 000005
【図５】
0004553828.tif 000006
【図６】
0004553828.tif 000007
【図７】
0004553828.tif 000008
【図８】
0004553828.tif 000009
【図９】
0004553828.tif 000010
【図１０】
0004553828.tif 000011
【図１１】
0004553828.tif 000012
【図１２】
0004553828.tif 000013
【図１３】
0004553828.tif 000014
【図１４】
0004553828.tif 000015
【図１５】
0004553828.tif 000016
【図１６】
0004553828.tif 000017
【図１７】
0004553828.tif 000018
【図１８】
0004553828.tif 000019
【図１９】
0004553828.tif 000020
【図２０】
0004553828.tif 000021